(57)【要約】      （修正有）【課題】蛇腹に折り畳んだ状態を固定でき、扇子形状に開いた状態で把持領域を含む指穴の周囲を補強することで効率良く風を作ることのできる紙扇子の補強と畳み固定構造を提供する。【解決手段】帯体４の両端へ端折線５を介し補強面６を延設し折返して補強面６を設け、帯体４と補強面６双方が延設された展開形状である矩形基板２の中央を左右に横切る袋折線３により縦に二分され、また、二本の垂直な閉じ線８により帯体４は左室１１、中室１２、右室１３に区分され、袋折線３で縦に二分された閉じ線８の中央を支点９とし、支点９を中心とする回転移動した折線で開き線１０を設け、開き線１０の回転移動方向は袋折線３との交点箇所を中室１２方向へ移動させており、一方の帯面７の一方の開き線１０ａ上で一方の支点９ａから袋折線３との交点までを切り込んで一方の切込１４ａを設け、一方の切込１４ａと点対称の開き線上を切り込んで他方の切込１４ｂを設ける。【選択図】図１
2015013092.tif 000002
【特許請求の範囲】
【請求項１】
角の丸い横長矩形の帯体の両端へ端折線を介して補強面を延設し、該補強面は該端折線を折返すことで該帯体の端領域内に折り重なる形状を成し、該帯体と該補強面双方が延設された展開形状を矩形基板とし、該矩形基板の中央を左右に横切る折線を袋折線とし、該袋折線によって縦に二分されて対となった帯体の領域を帯面とし、該帯体は左右方向へ略三等分で左から左室、中室、右室として三室に区分され、前記三室は二本の垂直な閉じ線によって区分されており、前記三室と二本の閉じ線は該袋折線によって縦に二分され、前記の二分された各々の室と各々の閉じ線は対の関係となり、該袋折線で縦に二分されて二対で有する閉じ線の中央を支点とし、該支点は二対で有しており、該支点を中心として回転移動した折線で開き線を設け、該開き線は二対で有して、該開き線の回転移動方向は該袋折線との交点箇所を中室方向へ移動させており、一方の帯面の一方の開き線上で一方の支点から該袋折線との交点までを切り込んで一方の切込を設け、該一方の切込と点対称の開き線上を切り込んで他方の切込を設けたことを特徴とする紙扇子の補強と畳み固定構造。
【発明の詳細な説明】
【技術分野】
【０００１】
本発明は、紙扇子の補強と折畳み状態の固定構造に関する物である。
【背景技術】
【０００２】
従来の紙扇子は凸レンズ形状の扇ぎ葉を一直線に3枚連接して、中央を中央葉とし、その両側を側葉とし、該従来の紙扇子の扇ぎ補強は側葉どうしの二枚が重なり合った領域だけの補強であり、折畳み状態の固定は中央葉の端に開けられた係止溝へ側葉の端角を差し込んで固定する構造の物であった。
【先行技術文献】
【特許文献】
【０００３】
【特許文献１】実開平６−８６５５０号
【発明の概要】
【発明が解決しようとする課題】
【０００４】
従来の技術は、開いて扇子形状にした場合、紙の表裏で一枚の画像を繋ぎ合わさなければならないので、片面印刷では対応できず、表裏の連なりで印刷画像の輪郭を繋げたり、色の濃さを同じにしたりすることは技術的に難しく、カタログとする場合は印刷領域が少なく、指穴に指を入れて扇ぐ時には、しなり過ぎて効率的に扇げず、係止溝へ側葉の端を入れて固定しにくく、該係止溝の端が破れやすいという問題点があった。本発明では前記のような問題の解決を課題にする。
【課題を解決するための手段】
【０００５】
略横長矩形（ほぼ横長矩形）の矩形基板の中央を長手方向である横方向へ貫く略水平な折線で袋折線を入れ、該矩形基板の中央領域を帯体とし、該帯体の両側の各々へ垂直な端折線を介して補強面を延設し、該端折線を折り返すことで該帯体の両端は二重になって補強され、該帯体を横方向へ略三等分に区分して左室と中室と右室とを垂直な折線である閉じ線を区分線として形成し、該袋折線を中心とする線対称で該帯体と該補強面とを天地へ二区分し、該帯体の天地二区分された各々の領域を帯面とし、該袋折線で天地へ二区分された各々の閉じ線の中央を支点とし、該支点の総数は四箇所となり、該支点を中心にして該袋折線と接する方を該中室方向へ回転移動させた斜め線を閉じ線とし、一方（基）の帯面の一方の閉じ線上にある支点から該袋折線に至る線上を切り離して一方の切込を形成し、該帯体の中心点を中心とする点対称の閉じ線上を切り離して他方の切込を形成し、該袋折線を折り返して袋折することで該帯面は重なり合って二重構造の横一直線の帯体を形成し、該右室を一方の切込を有する方の面へ折り返して、該右室の角を該一方の切込へ差し込んで固定し、該左室を他方の切込を有する方の面へ折り返して、該左室の角を該他方の切込へ差し込んで固定し、該開き線を折り曲げることで左室と右室の双方の外側領域は中室の下へ食み出し、前記食み出し領域で双方は重なり合って重なり域を形成し、前記重なり域の略中央へ指穴を貫通させて設ける。
【発明の効果】
【０００６】
帯体が略横長矩形であることから天地の縁は平行な直線となっているので袋折線を形成でき、袋折線を袋折することで該帯体は二重構造になり、二重であることから任意の面だけが外面となっているので該帯体の前後の両面は同一面であり、閉じ線の各々を谷折と山折の別方向へ折り曲げることで帯体をＺ形状（左右逆のＺ形状であっても良い）に折り畳んで閉じ形状にでき、前記閉じ形状で右室の上端角を一方の切込に差し込み、背面でも、左室の上端角を他方の切込に差し込んで前記Ｚ形状折り畳み閉じ状態を固定する。前記Ｚ折り畳み状態から左室と右室の端を下へ回転移動させることで閉じ線の屈折が解除されて開き線の折れ曲りに切り替わり、該開き線の屈折によって双方の指穴は重なり合って本体は扇子形状に組み立てられた開き形状になり、該指穴の周囲は該右室と左室とが重なり合った重合域となっており、該重合域の重なっている順序を入れ替えることで前記開き形状は固定され、該帯体が二重であることから任意の面だけが外面なので、同一面だけで前記扇子形状の構成ができ、該帯体が略矩形であることから削除領域が少ないので無駄のない印刷面となり、二重構造であることから内面全てをカタログとしての印刷面とすることができる。該帯体の基本は二重構造であって、前記二重構造でも扇ぐことは可能であるが、少々柔らかくて腰が弱い状態であり、該帯体の両端領域には補強面が折り重なっているので該帯体の両端領域は四重構造になって補強されており、該指穴に指を入れて扇ぐのであるが、指穴周囲の重合域の補強によって効率良く風を作ることができる。
【図面の簡単な説明】
【０００７】
【図１】展開状態内面表示正面図である。（実施例１）
【図２】補強面を折り返した展開状態内面表示正面図である。
【図３】真っ直ぐに伸びた伸直状態要部透視正面図である。
【図４】帯体を折り畳んで閉じて固定した状態の要部透視正面斜視図である。
【図５】帯体の両端を下方へ回転した開き状態固定前の要部透視正面図である。
【図６】帯体の両端を下方へ回転した開き状態固定後の要部透視正面図である。
【発明を実施するための形態】
【０００８】
同一面だけで扇子形状に開いて固定することができ、前記開き状態で重なり合う指穴の周囲を補強面によって補強することで、効率良く扇いで風を作ることができ、折り畳んだ閉じ状態を固定できることを実現した。
【実施例１】
【０００９】
図１は展開状態内面表示正面図である。本体１を製造するための素材は限定ではないが適宜に腰のある厚紙であることが望ましく、前記厚紙の硬さは限定ではないが官製葉書以上の硬さであれば対応できる。切線は実線で表示し、折線は一点鎖線で表示し、透視線は破線で表示し、折り線の折り曲げ方向は使用者が自由に選択できて変更もできるが、特許内容を具体的に説明するために折り曲げ方向を決めることにし、山折と谷折で表示する折り曲げ方向は外面からを基準にして表示し、基本的には左側を一方として右側を他方として表示し、図面では一方を（ａ）として他方を（ｂ）とする補助符号を用いて表示し、文面では括弧閉じを省略して記述し、総合的な表示にする場合は前記の補助符号（ａ）（ｂ）を省略する。
【００１０】
本体１は略横長矩形の矩形基板２の中央を長手方向である横方向へ貫通する山折線で袋折線３を設け、該袋折線３を中心にする線対称で天地に区分された線対称の面どうしを対の関係とし、前記の対関係どうしで天側を一方としても良いが基の表示にして、他方でもある対となる地側には符号に（´）の補助符号を付けることにし、図面での補助符号は括弧閉じをしているが文面では括弧閉じを省いており、総合的な表示にする場合は基にしている天側を代表にする。該矩形基板２の中央領域を帯体４とし、該帯体４の両側の各々に垂直な山折線である端折線５を介して補強面６を延設し、該矩形基板２は該袋折線３を中心とする線対称で天地に二区分されており、該帯体４で該袋折線３の天側を帯面７とし地側を帯面７´とし、左側に位置する補強面６を一方の補強面６ａとし、該袋折線３を中心とする線対称で天地に二区分された天側を補強面６ａとして対の地側を補強面６ａ´とし、右側に位置する補強面６を他方の補強面６ｂとし、該袋折線３を中心とする線対称で天地に二区分された天側を補強面６ｂとして対の地側を補強面６ｂ´とし、両側に延設された補強面６の双方を山折で折り返すことで該帯体４の両側に該補強面６は折り重なり、前記補強面６の折り重なり状態で該袋折線３を山折で袋折することで該天側の帯面７は正面へ折り返されて帯体４は二重構造になり、該帯体４は扇子形状を形成するための基本形であり、該帯体４が二重構造になったことで任意の選択面である画像面１６だけを外面にすることができ、該矩形基板２への印刷は該画像面１６だけを表にする片面印刷であっても良いが、裏面にも印刷する両面印刷であっても良く、前記両面印刷の場合は前記裏面をカタログ面１７にすることが望ましいが、カタログ面でない自由な印刷であっても良い。
【００１１】
矩形基板２は左右方向である横に長い略矩形であり、該矩形基板２の中央領域を帯体４とし、該帯体４が矩形基板２の領域内で占める割合は限定ではなくて適宜であるが７５％程度の割合で占めていることが望ましく、該帯体４の形状は限定ではないが角の丸い横長矩形であることが望ましく、該帯体４の横方向の端辺に端折線５を介して延設されている補強面６の形状は限定ではないが、該帯体４の横方向の端領域形状よりも適宜に少しだけ縮小した形状であることが望ましい。
【００１２】
図２は補強面を折り返した展開状態内面表示正面図である。帯体４は中央を長手方向である横方向へ横切る袋折線３によって天地に二等分されており、前記二等分領域は天側を基とする帯面７とし、地側を前記基帯面７の対とする帯面７´とする。天側の帯面７では、長手方向である横方向へ略三等分して三つの室に区分されており、左端の左室１１の右側へ一方の閉じ線８ａを介して延設された中室１２の右側へ他方の閉じ線８ｂを介して右室１３を延設する。一方の閉じ線８ａの中央を一方の支点９ａとし、該支点９ａを中心に左へ回転移動させた折線で一方の開き線１０ａを設け、他方の閉じ線８ｂの中央を他方の支点９ｂとし、該支点９ｂを中心に右へ回転移動させた折線で他方の開き線１０ｂを設ける。前記双方の開き線１０のどちらか一つに切込１４を入れるのであるが左側に位置する一方の開き線１０ａに設けることが望ましく、左側に位置する一方の開き線１０ａ上で一方の支点９ａから袋折線３へ至るまでを切り離して一方の切込１４ａを入れる。
【００１３】
地側の帯面７´では、長手方向である横方向へ略三等分して三つの室に区分されており、左端の左室１１´の右側へ一方の閉じ線８ａ´を介して延設された中室１２´の右側へ他方の閉じ線８ｂ´を介して右室１３´を延設する。一方の閉じ線８ａ´の中央を一方の支点９ａ´とし、該支点９ａ´を中心に右へ回転移動させた折線で一方の開き線１０ａ´を設け、他方の閉じ線８ｂ´の中央を他方の支点９ｂ´とし、該支点９ｂ´を中心に左へ回転移動させた折線で他方の開き線１０ｂ´を設ける。前記双方の開き線１０´のどちらか一つに切込１４を入れるのであるが右側に位置する他方の開き線１０ｂ´に設けることが望ましく、右側に位置する他方の開き線１０ｂ´上で他方の支点９ｂ´から袋折線３へ至るまでを切り離して他方の切込１４ｂを入れる。上記一方の切込１４ａと前記他方の切込１４ｂの位置関係は該帯体４の中心点を中点とする点対称で設ける。
【００１４】
図３は真っ直ぐに伸びた伸直状態要部透視正面図である。帯体４は一枚の面で図示しているが、実体は袋折線３より天側領域に位置していた基の帯面７を正面へ折り返して袋折した二重構造であり、該帯体４の両端領域は補強面６が折り重なっているので四重構造になっており、該補強面６は袋折された該帯体４の中に位置しているので透視線とする破線で図示している。後記される図４と図５と図６でも袋折した二重構造であり、該帯体４の両端領域は該補強面６が折り重なった四重構造である。伸直状態の正面からは基の帯面７だけしか図示できないが、背面には対の帯面７´が折り返された状態で隠れており、正面に図示されている帯面７だけで符号の名称を述べることにする。
【００１５】
袋折された状態で帯体４の天側を天縁１８とし地側を地縁１９とし、該天縁１８を袋折線３にして、該袋折線３を介して帯面７´を線対称の形状で延設して図１及び図２で図示いるが、該地縁１９を該袋折線３にして該帯面７´を延設しても良い。
【００１６】
袋折線３を袋折して二重構造になった帯体４である場合、正面の帯面７を谷折すれば背面の帯面７´は山折となるのは必然であり、帯面７を帯体４の代表にし、これ以降は正面方向からを基準にして山折谷折で表示し、該帯面７´の折り曲げ方向は省略する。
【００１７】
一方の閉じ線８ａと他方の閉じ線８ｂとの折り曲げ方向は使用者が自由に選択できるのであるが、特許内容の説明を明瞭にするために定めて表示することにし、前記双方の閉じ線は異方向に折り曲げることが望ましく、一方の閉じ線８ａを山折にすれば他方の閉じ線８ｂは谷折にすることが望ましい。
【００１８】
一方の閉じ線８ａが山折であるならば一方の支点９ａで交差する一方の開き線１０ａも山折にし、他方の閉じ線８ｂが谷折ならば他方の支点９ｂで交差する他方の開き線１０ｂも谷折にする。
【００１９】
一方の支点９ａを中心にして一方の開き線１０ａが右へ回転移動した箇所へ位置することで、一方の閉じ線８ａとの間に直角三角形領域が支点９ａの天地に点対称で形成され、前記直角三角形領域で一方の支点９ａの天側を天反転域２０ａとし地側を地反転域２１ａとする。
【００２０】
他方の支点９ｂを中心にして他方の開き線１０ｂが左へ回転移動した箇所へ位置することで、他方の閉じ線８ｂとの間に直角三角形領域が支点９ｂの天地に点対称で形成され、前記直角三角形領域で他方の支点９ｂの天側を天反転域２０ｂとし地側を地反転域２１ｂとする。
【００２１】
図４は帯体を折り畳んで閉じて固定した状態の要部透視正面斜視図である。閉じ状態はＺ字（左右逆のＺ字を含む）形状に蛇腹折された状態であり、前記蛇腹折状態だけでも保持されているが不安定なので蛇腹折が解除されて伸びる恐れもある。帯体４の右端は正面へ折り返されているので背面に隠れていた対の右室１３´が正面へ現れ、該右室１３´の上端角領域である他方の端折線５ｂ´の上端を一方の切込１４ａに差し込むことで該右室１３´は固定され、背面に隠れている左室１１も該右室１３´の固定と同じ方法で他方の切込１４ｂに該左室１１の上端角領域である一方の端折線５ａの上端を差し込んで固定する。扇子形状に開く場合は、指穴１５に指を引っ掛けて中室１２の両側に延設されている右室１３と左室１１とを下へ回転スライドさせることで支点９を中心にして閉じ線８の屈折が開き線１０の屈折に切り替わることで該帯体４は開き状態になる。Ｚ字形状に折り畳まれて閉じた状態の帯体４の大きさは限定ではなくて適宜であって良いが、ワイシャツや背広などの胸ポケットの横幅より適宜に狭くした天地幅にして折り畳まれる該帯体４であることが望ましい。
【００２２】
図５は帯体の両端を下方へ回転した開き状態固定前の要部透視正面図である。本体１は図４の閉じ状態から左手で背面に折り返されている左室１１の一方の指穴１５ａを摘んで左へ引き、右手で正面に折り返されている右室１３の他方の指穴１５ｂを摘んで右へ引くことで帯体４の両端が下方へ回転移動して扇子形状の開き状態になる。前記下方への回転移動が可能になる構造は、支点９を中心にして交差している閉じ線８から開き線１０へ屈折が切り替わるからである。
【００２３】
上記回転移動の回転角度は限定でなくても良いが、右室１３の領域内の天縁１８中央と中室１２領域内の地縁１９中央とが交差して接する回転角度であることが望ましく、前記双方中央の交差接点をヘソ点２２とし、支点９と隣接する天反転域２０の角を反転角２３とし、該反転角２３の角度は右室６の回転移動する角度の半分にすることで、ヘソ点２２が交差接点となる。該右室１３の回転移動は該ヘソ点２２を中心とする点対称で行うのであり、一方の指穴１５ａと他方の指穴１５ｂとが重なり合う状態を目印にすることで帯体４の両端の回転移動を正しい位置へ導くことができる。
【００２４】
該右室１３と左室１１の外端領域はヘソ点２２の下で重なり合っており、前記重なり合っている領域を重合域２４とし、該重合域２４の略（ほぼ）中央に指穴１５は貫通されている。
【００２５】
図６は帯体の両端を下方へ回転した開き状態固定後の要部透視正面図である。図５では帯体４を扇子形状に折り曲げただけなので固定前の状態であり、他方の端領域である右室１３が正面に折り出ているが、背面へ折り隠れている一方の端領域である左室１１と正面に折り出ている該右室１３とを前後で入れ替えることで重合域２４部分では該右室１３が背面に隠れ、該左室１１が正面へ出ることでヘソ点２２の箇所で組み合わさって固定される。
【００２６】
扇子形状に組立られた帯体４では、中室１２だけが正面領域である基の帯面７であり、該中室１２の左右両側に延設されている左室１１と右室１３は背面領域である対の帯面７´が正面を向いている。該帯体４が単層ならば板紙の表裏面が隣り合った状態で正面を向くが、袋折線３で袋折された二重構造で帯体４は形成されていることから表面である画像面１６だけが外面となっていて、裏面としているカタログ面１７は袋折された内面に隠れている。
【００２７】
図６で示すように本体１を扇子状に開いて固定した状態で扇ぐ場合は、指穴１５に指（親指）を挿入して該指穴１５から下の領域である把持領域２５を把持する構造になっていることから該指穴１５の周囲に曲がる力が加わる構造でもあり、該指穴１５の周囲領域である重合域２４は補強面６の折り重ねによって補強されているので、該指穴１５の周囲は硬くなって曲がりにくいので支障なく扇ぐことができ、効率良く風を作ることができる。
【産業上の利用可能性】
【００２８】
本発明は、略矩形を基本形とした二枚重ね構造なので、内面に折り重ねられた裏面をカタログ表示面とするカタログ扇子及びカタログ扇子として使用することもできる他、ダイレクトメールとしても利用でき、挨拶文などを記入する暑中見舞いとしても利用でき、観光案内地図などとしても利用できる。
【符号の説明】
【００２９】
１  本体
２  矩形基板
３  袋折線
４  帯体
５、５ａ、５ｂ、５ａ´、５ｂ´  端折線
６、６ａ、６ｂ、６ａ´、６ｂ´  補強面
７、７´  帯面
８、８ａ、８ｂ、８ａ´、８ｂ´  閉じ線
９、９ａ、９ｂ、９ａ´、９ｂ´  支点
１０、１０ａ、１０ｂ、１０ａ´、１０ｂ´  開き線
１１、１１´  左室
１２、１２´  中室
１３、１３´  右室
１４、１４ａ、１４ｂ  切込
１５、１５ａ、１５ｂ  指穴
【図１】
2015013092.tif 000003
【図２】
2015013092.tif 000004
【図３】
2015013092.tif 000005
【図４】
2015013092.tif 000006
【図５】
2015013092.tif 000007
【図６】
2015013092.tif 000008